(57)【要約】      （修正有）【課題】棒付き菓子の販売の際の陳列台と包装箱、贈答の際の贈答箱と鑑賞用台の双方に利用できる簡易な棒付き菓子用の陳列台兼包装箱を提供する。【解決手段】上方に向かって開口する矩形箱本体３と、その上方開口を覆う下方に向かって開口する矩形蓋体４と、その矩形箱本体３の底部に載置する底部中板５とで構成する。矩形蓋体４には棒付き菓子の棒を通過させる大きさの複数の孔８を切り離し可能なミシン目で形成する。底部中板５は矩形箱本体３に丁度納まる大きさの矩形板の対向する２辺の辺縁に下方に向かう側壁を設けた構成とし、その平面部には矩形蓋体４の各孔９に対向する位置に棒付き菓子の棒を通過させる大きさの孔を形成しておく。【選択図】図２
0003212714.tif 000002
【実用新案登録請求の範囲】
【請求項１】
棒付き菓子の陳列台兼包装箱として、或いは、鑑賞台兼贈答用箱として利用可能な棒付き菓子の陳列台兼包装箱であって、
該陳列台兼包装箱は上方に向かって開口する水平断面が矩形の矩形箱本体と、その上方開口を覆う下方に向かって開口する矩形蓋体と、前記矩形箱本体の底部に載置される底部中板とから構成され、前記矩形蓋体には前記棒付き菓子の棒を通過させる大きさの複数の孔が切り離し可能なミシン目で形成されており、
前記底部中板は前記矩形箱本体に丁度納まる大きさの矩形板の対向する２辺の辺縁に下方に向かう側壁を設けた断面門形の中板で、その矩形板には前記矩形蓋体の各孔に対向する位置に前記棒付き菓子の棒を通過させる大きさの孔が形成されていることを特徴とする棒付き菓子の陳列台兼包装箱。
【請求項２】
請求項１に記載の棒付き菓子の陳列台兼包装箱において、前記矩形蓋体は前記矩形箱本体と分離して設けるのに代えて、その矩形の一辺を矩形箱本体の一辺に連結して設け、該連結部を中心として矩形蓋体を傾動させることにより矩形箱本体の上方開口を開閉できるように構成されていることを特徴とする棒付き菓子の陳列台兼包装箱。
【請求項３】
棒付き菓子の陳列台兼包装箱として、或いは、鑑賞台兼贈答用箱として利用可能な棒付き菓子の陳列台兼包装箱であって、
該陳列台兼包装箱は上方に向かって開口する水平断面が正五角形の正五角形箱本体と、その上方開口を覆う下方に向かって開口する正五角形蓋体と、前記正五角形箱本体の底部に載置される底部中板とから構成され、前記正五角形蓋体には前記棒付き菓子の棒を通過させる大きさの複数の孔が切り離し可能なミシン目で形成されており、
前記底部中板は前記正五角形箱本体に丁度納まる大きさの正五角形板の辺縁に下方に向かう側壁を設けた中板で、その正五角形板には前記正五角形蓋体の各孔に対向する位置に前記棒付き菓子の棒を通過させる大きさの孔が形成されていることを特徴とする棒付き菓子の陳列台兼包装箱。
【請求項４】
請求項３に記載の棒付き菓子の陳列台兼包装箱において、前記正五角形蓋体は前記正五角形箱本体と分離して設けるのに代えて、その正五角形の一辺を正五角形箱本体の一辺に連結して設け、該連結部を中心として正五角形蓋体を傾動させることにより正五角形箱本体の上方開口を開閉できるように構成されていることを特徴とする棒付き菓子の陳列台兼包装箱。
【請求項５】
棒付き菓子の陳列台兼包装箱として、或いは、鑑賞台兼贈答用箱として利用可能な棒付き菓子の陳列台兼包装箱であって、
該陳列台兼包装箱は上方に向かって開口する水平断面がハート形のハート形箱本体と、その上方開口を覆う下方に向かって開口するハート形蓋体と、前記ハート形箱本体の底部に載置される底部中板とから構成され、前記ハート形蓋体には前記棒付き菓子の棒を通過させる大きさの複数の孔が切り離し可能なミシン目で形成されており、
前記底部中板は前記ハート形箱本体に丁度納まる大きさのハート形板の辺縁に下方に向かう側壁を設けた中板で、そのハート形板には前記ハート形蓋体の各孔に対向する位置に前記棒付き菓子の棒を通過させる大きさの孔が形成されていることを特徴とする棒付き菓子の陳列台兼包装箱。
【請求項６】
請求項１乃至５の何れかに記載の棒付き菓子の陳列台兼包装箱において、前記底部中板を無くした構成の棒付き菓子の陳列台兼包装箱。
【請求項７】
請求項１に記載の棒付き菓子の陳列台兼包装箱において、前記矩形箱本体は上方に向かって開口する水平断面が円形の円形箱本体に代え、前記矩形蓋体は円形箱本体の開口を覆う浅い円形蓋体に代え、底部中板は無くした構成としてあることを特徴とする棒付き菓子の陳列台兼包装箱。
【考案の詳細な説明】
【技術分野】
【０００１】
本考案は、一口サイズケーキを棒先端に刺したケーキポップや、飴を棒先端に取り付けた棒飴等の棒付き菓子の陳列と包装に兼用できる棒付き菓子用の陳列台兼包装箱に関する。
【背景技術】
【０００２】
一口サイズケーキを棒先端に刺したアメリカ生まれのケーキはケーキポップと呼ばれる。また、飴を棒先端に取り付けた棒飴が従来より知られている。これら棒付き菓子を販売のため陳列する際には、ケーキや飴を上にして棒を立てた状態で陳列される。陳列前には箱に入れて保管され、まとまった数を客に渡す際には包装箱に入れて渡される。また、これら棒付き菓子は子供への贈り物とされることも多い。贈り物にするときは贈答用の包装箱に入れて渡される。贈り物として受け取った子供は貰った可愛い棒付き菓子を複数本、立てた状態で並べて鑑賞したがることがある。こうしたことから販売の際には陳列台と包装箱、贈答の際には贈答用箱と鑑賞用台の双方に利用できる簡単な構造の棒付き菓子用の陳列台兼包装箱が求められる。
【０００３】
従来、菓子類の陳列台と包装箱に兼用できる箱は多く提案されている（特許文献１、２、３参照）。しかし、前述のような棒付き菓子用に特化した陳列台兼包装箱の提案は殆ど見受けられない。
【先行技術文献】
【特許文献】
【０００４】
【特許文献１】特開２００６−２０６１８３号公報
【特許文献２】特許第５７８０８７３号公報
【特許文献３】実用新案登録第３１８９０２３号公報
【考案の開示】
【考案が解決しようとする課題】
【０００５】
本考案はこうした背景からなされたもので、その課題は、棒付き菓子の販売の際には陳列台と包装箱、贈答の際には贈答用箱と鑑賞用台の双方に利用できる簡単な構造の棒付き菓子用の陳列台兼包装箱を提供することにある。
【課題を解決するための手段】
【０００６】
前記課題を解決するための請求項１に記載の考案は、棒付き菓子の陳列台兼包装箱として、或いは、鑑賞台兼贈答用箱として利用可能な棒付き菓子の陳列台兼包装箱であって、該陳列台兼包装箱は上方に向かって開口する水平断面が矩形の矩形箱本体と、その上方開口を覆う下方に向かって開口する矩形蓋体と、前記矩形箱本体の底部に載置される底部中板とから構成され、前記矩形蓋体には前記棒付き菓子の棒を通過させる大きさの複数の孔が切り離し可能なミシン目で形成されており、前記底部中板は前記矩形箱本体に丁度納まる大きさの矩形板の対向する２辺の辺縁に下方に向かう側壁を設けた断面門形の中板で、その矩形板には前記矩形蓋体の各孔に対向する位置に前記棒付き菓子の棒を通過させる大きさの孔が形成されていることを特徴とする棒付き菓子の陳列台兼包装箱である。
【０００７】
このような構成の陳列台兼包装箱は、棒付き菓子の陳列、鑑賞用の台として、また、棒付き菓子の包装箱、贈答用箱として兼用できる利点を有する。構造は比較的簡単であり、棒付き菓子を直立状態で維持でき、複数の孔の配置を工夫することにより棒付き菓子を美しく陳列できる。
【０００８】
また、請求項２に記載の考案は、請求項１に記載の棒付き菓子の陳列台兼包装箱において、前記矩形蓋体は矩形箱本体と分離して設けるのに代えて、その矩形の一辺を矩形箱本体の一辺に連結して設け、該連結部を中心として矩形蓋体を傾動させることにより矩形箱本体の上方開口を開閉できるように構成されていることを特徴とする棒付き菓子の陳列台兼包装箱である。
【０００９】
このような構成の陳列台兼包装箱は請求項１に記載の考案と同様の効果を奏する。
【００１０】
また、請求項３に記載の考案は、棒付き菓子の陳列台兼包装箱として、或いは、鑑賞台兼贈答用箱として利用可能な棒付き菓子の陳列台兼包装箱であって、該陳列台兼包装箱は上方に向かって開口する水平断面が正五角形の正五角形箱本体と、その上方開口を覆う下方に向かって開口する正五角形蓋体と、前記正五角形箱本体の底部に載置される底部中板とから構成され、前記正五角形蓋体には棒付き菓子の棒を通過させる大きさの複数の孔が切り離し可能なミシン目で形成されており、前記底部中板は正五角形箱本体に丁度納まる大きさの正五角形板の辺縁に下方に向かう側壁を設けた中板で、その正五角形板には前記正五角形蓋体の各孔に対向する位置に棒付き菓子の棒を通過させる大きさの孔が形成されていることを特徴とする棒付き菓子の陳列台兼包装箱である。
【００１１】
このような構成の陳列台兼包装箱は請求項１に記載の考案と同様の効果を奏する。
【００１２】
また、請求項４に記載の考案は、請求項３に記載の棒付き菓子の陳列台兼包装箱において、前記正五角形蓋体は正五角形箱本体と分離して設けるのに代えて、その正五角形の一辺を正五角形箱本体の一辺に連結して設け、該連結部を中心として正五角形蓋体を傾動させることにより正五角形箱本体の上方開口を開閉できるように構成されていることを特徴とする棒付き菓子の陳列台兼包装箱である。
【００１３】
このような構成の陳列台兼包装箱は請求項１に記載の考案と同様の効果を奏する。
【００１４】
また、請求項５に記載の考案は、棒付き菓子の陳列台兼包装箱として、或いは、鑑賞台兼贈答用箱として利用可能な棒付き菓子の陳列台兼包装箱であって、該陳列台兼包装箱は上方に向かって開口する水平断面がハート形のハート形箱本体と、その上方開口を覆う下方に向かって開口するハート形蓋体と、前記ハート形箱本体の底部に載置される底部中板とから構成され、前記ハート形蓋体には前記棒付き菓子の棒を通過させる大きさの複数の孔が切り離し可能なミシン目で形成されており、前記底部中板はハート形箱本体に丁度納まる大きさのハート形板の辺縁に下方に向かう側壁を設けた中板で、そのハート形板には前記ハート形蓋体の各孔に対向する位置に棒付き菓子の棒を通過させる大きさの孔が形成されていることを特徴とする棒付き菓子の陳列台兼包装箱である。
【００１５】
このような構成の陳列台兼包装箱は請求項１に記載の考案と同様の効果を奏する。
【００１６】
また、請求項６に記載の考案は、請求項１乃至５の何れかに記載の棒付き菓子の陳列台兼包装箱において、前記底部中板を無くした構成の棒付き菓子の陳列台兼包装箱である。
【００１７】
このような構成としても棒付き菓子の棒の下端が平面形状にしてあれば、棒付き菓子の垂直姿勢が維持される。
【００１８】
また、請求項７に記載の考案は、請求項１に記載の棒付き菓子の陳列台兼包装箱において、前記矩形箱本体は上方に向かって開口する水平断面が円形の円形箱本体に代え、前記矩形蓋体は円形箱本体の開口を覆う浅い円形蓋体に代え、底部中板は無くした構成としてあることを特徴とする棒付き菓子の陳列台兼包装箱である。
【００１９】
このような円形箱状に形成すれば、矩形箱状とは趣の変わった美しさが現われる。
【図面の簡単な説明】
【００２０】
【図１】本考案に係る棒付き菓子の陳列台兼包装箱１の外観斜視図である。
【図２】陳列台兼包装箱１の分解斜視図である。
【図３】陳列台兼包装箱１を棒付き菓子２の陳列台として使用している状態の外観斜視図である。
【図４】陳列台兼包装箱１を陳列台として使用している状態の断面図である。
【図５】底部中板５の無い陳列台兼包装箱１に棒付き菓子２を差し込んだ状態の断面図である。
【図６】矩形蓋体４ａを矩形箱本体３ａに連結形成した陳列台兼包装箱１ａの側面図である。
【図７】正五角形箱本体１３使用した陳列台兼包装箱１０の分解斜視図である。
【図８】正五角形箱本体１３使用した陳列台兼包装箱１０を陳列台として使用している状態の断面図である。
【図９】正五角形１４ａを正五角形箱本体１３に連結形成した陳列台兼包装箱１０ａの外観斜視図である。
【図１０】ハート形箱本体２３使用した陳列台兼包装箱２０の分解斜視図である。
【図１１】ハート形箱本体２３使用した陳列台兼包装箱２０を陳列台として使用している状態の断面図である。
【図１２】丸形箱本体の陳列台兼包装箱３０の外観斜視図である。
【図１３】丸形箱本体の陳列台兼包装箱３０の分解斜視図である。
【図１４】丸形箱本体の陳列台兼包装箱３０を棒付き菓子２の陳列台として使用している状態の外観斜視図である。
【考案を実施するための形態】
【００２１】
以下、本考案に係る棒付き菓子の陳列台兼包装箱の構成例について実施形態に分けて説明する。
（第１の実施形態）
図１は本実施形態に係る棒付き菓子の陳列台兼包装箱１の外観斜視図、図２はその分解斜視図、図３は棒付き菓子２の陳列台として使用している状態の外観斜視図、図４は陳列台として使用している状態の断面図である。
【００２２】
陳列台兼包装箱１は棒付き菓子２の陳列、鑑賞用台として、また、その包装、贈答用箱として兼用利用可能とする箱である。その構成は図２に示すように上方に向かって開口する水平断面が矩形の矩形箱本体３と、その上方開口を覆い下方に向かって開口する矩形蓋体４と、矩形箱本体３の底部に載置する底部中板５とからなる。矩形箱本体３は本実施形態では水平断面を正方形としているが、水平断面を長方形にしてもよい。
【００２３】
矩形蓋体４の下面側開口は、矩形箱本体３に丁度嵌まる大きさに形成されている。矩形蓋体４の表面には、棒付き菓子２の棒２ａを通過させる大きさの複数の孔８が切り離し可能なミシン目で形成されている。切り離し可能なミシン目で形成されているので、その孔８部分を強く押すと、ミシン目部分が抜け落ちて孔８が形成される。陳列台兼包装箱１を棒付き菓子２の陳列台、鑑賞用台として使用するときは、その孔８に棒付き菓子２の棒２ａを差し込む。複数の孔８の位置は、陳列台、鑑賞用台として使用したときに、陳列した棒付き菓子２が全体として美しくみえるように配慮して決める。本実施形態では３×３の枡目の交点に形成してある。
【００２４】
底部中板５は矩形箱本体３の底部に載置する中板で、矩形箱本体３の内側に丁度納まる平面形状で、その平面部と矩形箱本体３の内底面との間に僅かな隙間が形成されるように全体が断面門形になるよう足が形成されている。底部中板５の平面部には、矩形箱本体３に被せた状態の矩形蓋体４の各孔８に棒付き菓子２の棒２ａを垂直に差し込んだときに、その棒２ａの先が当たる部分に棒２ａが通過できる大きさの孔９が形成されている。即ち、底部中板５の各孔９は、矩形箱本体３に被せた状態の矩形蓋体４の各孔８に対向する位置に形成されている。
【００２５】
図４は、矩形箱本体３に被せた状態の矩形蓋体４の各孔８に棒付き菓子２の棒２ａを垂直に差し込んだ状態における箱の断面図である。矩形箱本体３の深さは、棒付き菓子２の棒２ａの長さより少し短くしてある。底部中板５の各孔９は、矩形箱本体３に被せた状態の矩形蓋体４の各孔８に対向する位置に形成されているので、各孔８に差し込んだ棒付き菓子２は垂直姿勢が維持される。なお、底部中板５は断面門形になるよう足が形成してあるが、底部中板５の平面部の全ての周縁から下方に向かう側壁を設けて足としてもよい。
【００２６】
陳列台兼包装箱１を棒付き菓子２の包装箱、贈答用箱として使用する際は、棒付き菓子２を矩形箱本体３の底部中板５の上に寝かせた状態で収納する。
以上説明した本実施形態の陳列台兼包装箱１は、棒付き菓子２の陳列、鑑賞用の台として、また、棒付き菓子２の包装箱、贈答用箱として兼用できる利点を有する。構造も比較的、簡単である。
【００２７】
（第２の実施形態）
第１の実施形態では、矩形箱本体３の底部には底部中板５に矩形蓋体４の各孔８から差し込んだ棒付き菓子２の棒２ａの先端を通す孔９を設けた底部中板５を載置した。本実施形態は、その底部中板５を無くしたものである。この場合、陳列、鑑賞中に差し込んだ棒付き菓子２が傾く心配があるが、棒２ａの下部先端が平面形状にされている場合には傾く可能性は低い。図５は底部中板５の無い陳列台兼包装箱１に棒付き菓子２を差し込んだ状態の断面図である。
【００２８】
（第３の実施形態）
第１の実施形態では矩形蓋体４を矩形箱本体３とは分離して設けたが、本実施形態は、矩形蓋体４を矩形箱本体３に連結して構成したものである。図６はそのような構成の陳列台兼包装箱１ａの側面図である。矩形蓋体４ａの一辺を矩形箱本体３の一辺に連結して構成してある。連結部４ｂを中心として矩形蓋体４ａを傾動させることにより、矩形箱本体３の上方開口を開閉できる。その他の構成は第１の実施形態と同様である。
【００２９】
（第４の実施形態）
第１の実施形態では水平断面が矩形の箱を矩形箱本体３として使用したが、本実施形態は水平断面が正五角形の箱を使用したものである。図７は本実施形態の陳列台兼包装箱１０の分解斜視図である。陳列台兼包装箱１０は、水平断面が正五角形の正五角形箱本体１３、その上方開口を覆う下方に向かって開口する正五角形蓋体１４と、正五角形箱本体１３の底部に載置する底部中板１５とから構成されている。
【００３０】
正五角形蓋体１４の下面側開口は、正五角形箱本体１３に丁度嵌まる大きさに形成されている。正五角形蓋体１４の表面には、棒付き菓子２の棒２ａを通過させる大きさの複数の孔８が切り離し可能なミシン目で形成されている。
【００３１】
底部中板１５は正五角形箱本体１３の底部に載置する中板で、正五角形箱本体１３の内側に丁度納まる平面形状で、その辺縁には下方に向かう側壁を設けて正五角形箱本体１３の内底面との間に僅かな隙間が形成されるようにしてある。底部中板１５の平面部には、正五角形箱本体１３に被せた状態の正五角形蓋体１４の各孔８に棒付き菓子２の棒２ａを垂直に差し込んだときに、その棒２ａの先が当たる部分に棒２ａが通過できる大きさの孔９が形成されている。即ち、底部中板１５の各孔９は、正五角形箱本体１３に被せた状態の正五角形蓋体１４の各孔８に対向する位置に形成されている。正五角形蓋体１４の各孔８の位置は、正五角形蓋体１４を７２°水平回転させて被せた場合にも各孔９に差し込んだ棒付き菓子２の棒２ａの下端が底部中板１５の各孔９に差し込まれるように配置しておくとよい。図８は棒付き菓子２の陳列台として使用している状態の外観斜視図である。
【００３２】
（第５の実施形態）
本実施形態は、第２の実施形態の場合と同様に図７における底部中板１５を無くしたものである。この場合、陳列、鑑賞中に差し込んだ棒付き菓子２が傾く心配があるが、棒２ａの下部先端が平面形状にされている場合には傾く可能性は低い。
【００３３】
（第６の実施形態）
前記第４の実施形態では正五角形蓋体１４を正五角形箱本体１３とは分離して設けたが、本実施形態は、正五角形蓋体１４を正五角形箱本体１３に連結して構成したものである。図９はそのような構成の陳列台兼包装箱１０ａの側面図である。正五角形蓋体１４ａの一辺を正五角形箱本体１３の一辺に連結して構成してある。連結部１４ｂを中心として正五角形蓋体１４ａを傾動させることにより、正五角形箱本体１３の上方開口を開閉できる。その他の構成は第４の実施形態と同様である。
【００３４】
（第７の実施形態）
第１の実施形態では水平断面が矩形の箱を矩形箱本体３として使用したが、本実施形態は水平断面がハート形の箱を使用したものである。図１０は本実施形態の陳列台兼包装箱２０の分解斜視図である。陳列台兼包装箱２０は、水平断面がハート形のハート形箱本体２３、その上方開口を覆う下方に向かって開口するハート形蓋体２４と、ハート形箱本体２３の底部に載置する底部中板２５とから構成されている。
【００３５】
ハート形蓋体２４の下面側開口はハート形箱本体２３に丁度嵌まる大きさに形成されている。ハート形蓋体２４の表面には、棒付き菓子２の棒２ａを通過させる大きさの複数の孔８が切り離し可能なミシン目で形成されている。
【００３６】
底部中板２５はハート形箱本体２３の底部に載置する中板で、ハート形箱本体２３の内側に丁度納まる平面形状で、その辺縁には下方に向かう側壁を設けてハート形箱本体２３の内底面との間に僅かな隙間が形成されるようにしてある。底部中板２５の平面部には、ハート形箱本体２３に被せた状態のハート形蓋体２４の各孔８に棒付き菓子２の棒２ａを垂直に差し込んだときに、その棒２ａの先が当たる部分に棒２ａが通過できる大きさの孔９が形成されている。即ち、底部中板２５の各孔９は、ハート形箱本体２３に被せた状態のハート形蓋体２４の各孔８に対向する位置に形成されている。図１１は棒付き菓子２の陳列台として使用している状態の外観斜視図である。
【００３７】
（第８の実施形態）
本実施形態は、第２の実施形態の場合と同様に図１０おける底部中板２５を無くしたものである。この場合、陳列、鑑賞中に差し込んだ棒付き菓子２が傾く心配があるが、棒２ａの下部先端が平面形状にされている場合には傾く可能性は低い。
【００３８】
（第９の実施形態）            
第１の実施形態では水平断面が矩形の箱を矩形箱本体３として使用したが、本実施形態は水平断面が円形の箱を使用したものである。図１２はその外観斜視図、図１３は分解斜視図、図１４は棒付き菓子２の陳列台として使用している状態の外観斜視図である。
【００３９】
この陳列台兼包装箱３０は上方に向かって開口する円形箱本体３３と、その上方開口を覆う下方に向かって開口する浅い円形蓋体３４とで構成される。底部中板は設けない。円形蓋体３４の表面には、棒付き菓子２の棒２ａを通過させる大きさの複数の孔８が切り離し可能なミシン目で形成されている。本実施形態の陳列台兼包装箱３０も棒付き菓子２の陳列、鑑賞用台として、また、棒付き菓子２の包装箱、贈答用箱として兼用できる利点を有する。構造も比較的、簡単である。
【符号の説明】
【００４０】
図面中、１は陳列台兼包装箱、２は棒付き菓子、３は矩形箱本体、４は矩形蓋体、４ｂは連結部、５は底部中板、８、９は孔、１０は正五角形箱の陳列台兼包装箱、１３は正五角形箱本体、１４は正五角形蓋体、２０はハート形箱の陳列台兼包装箱、２３はハート形箱本体、２４はハート形蓋体、３０は円形箱の陳列台兼包装箱、３２は円形箱本体、３４は円形蓋体を示す。
【図１】
0003212714.tif 000003
【図２】
0003212714.tif 000004
【図３】
0003212714.tif 000005
【図４】
0003212714.tif 000006
【図５】
0003212714.tif 000007
【図６】
0003212714.tif 000008
【図７】
0003212714.tif 000009
【図８】
0003212714.tif 000010
【図９】
0003212714.tif 000011
【図１０】
0003212714.tif 000012
【図１１】
0003212714.tif 000013
【図１２】
0003212714.tif 000014
【図１３】
0003212714.tif 000015
【図１４】
0003212714.tif 000016